(57)【要約】  ゲーム装置は、制御部、記憶部及び表示部を備える。制御部が、記憶部に記憶されたプログラムを実行することにより、複数のゲームの結果の履歴を表示部に表示する機能と、ゲームに対するベットの前に第１の画面を表示部に表示する機能と、第１の画面の表示中にベット指示を受けたときに、表示部に対して、ゲームの進行のための第２の画面を表示し、ゲームの結果を示す第３の画面を表示する機能と、第１の画面の表示中にゲーム結果表示の指示を受けたときに、前記第３の画面を表示するまでの時間をベットを行ったときよりも短縮する機能と、ゲームの結果に応じて、表示部への履歴の表示を更新する機能とを実現する。
2018134919.tif 000002
【特許請求の範囲】
【請求項１】
制御部、記憶部及び表示部を備えたゲーム装置であって、前記制御部が、前記記憶部に記憶されたプログラムを実行することにより、
複数のゲームの結果の履歴を前記表示部に表示する機能と、
ゲームに対するベットの前に第１の画面を前記表示部に表示する機能と、
前記第１の画面の表示中にベット指示を受けたときに、前記表示部に対して、ゲームの進行のための第２の画面を表示し、ゲームの結果を示す第３の画面を表示する機能と、
前記第１の画面の表示中にゲーム結果表示の指示を受けたときに、前記第３の画面を表示するまでの時間をベットを行ったときよりも短縮する機能と、
前記ゲームの結果に応じて、前記表示部への前記履歴の表示を更新する機能と
を実現するように構成されたゲーム装置。
【請求項２】
前記複数のゲームの結果の履歴は、所定の条件を満たしているときに強調して表示される、請求項１に記載のゲーム装置。
【請求項３】
前記ゲームは、進行中におけるユーザの操作に応じて結果が変化するゲームであり、ゲーム結果表示の指示を受けたときにユーザの操作に応じた演算を行いゲームの結果を第３の画面に表示する、請求項１に記載のゲーム装置。
【請求項４】
前記ゲームは、前記第１の画面の表示中にゲーム結果表示の指示を受けたときには、ベット処理を行わず、前記第１の画面の表示中にベット指示をうけたときにベット処理を行う、請求項１に記載のゲーム装置。
【請求項５】
制御部、記憶部及び表示部を備えた装置において実施されるゲーム方法であって、前記制御部が、前記記憶部に記憶されたプログラムを実行することにより、
複数のゲームの結果の履歴を前記表示部に表示することと、
ゲームに対するベットの前に第１の画面を前記表示部に表示することと、
前記第１の画面の表示中にベット指示を受けたときに、前記表示部に対して、ゲームの進行のための第２の画面を表示し、ゲームの結果を示す第３の画面を表示することと、
前記第１の画面の表示中にゲーム結果表示の指示を受けたときに、前記第３の画面を表示するまでの時間をベットを行ったときよりも短縮することと、
前記ゲームの結果に応じて、前記表示部への前記履歴の表示を更新することと
を含む、ゲーム方法。
【請求項６】
制御部及び表示部を備えたコンピュータにおいて、
前記制御部が、複数のゲームの結果の履歴を前記表示部に表示することと、
前記制御部が、ゲームに対するベットの前に第１の画面を前記表示部に表示することと、
前記制御部が、前記第１の画面の表示中にベット指示を受けたときに、前記表示部に対して、ゲームの進行のための第２の画面を表示し、ゲームの結果を示す第３の画面を表示することと、
前記制御部が、前記第１の画面の表示中にゲーム結果表示の指示を受けたときに、前記第３の画面を表示するまでの時間をベットを行ったときよりも短縮することと、
前記制御部が、前記ゲームの結果に応じて、前記表示部への前記履歴の表示を更新することと
を実現するためのプログラムを記憶した非一過性の記録媒体。
【発明の詳細な説明】
【技術分野】
【０００１】
本発明は、ゲーム装置及びゲーム方法に関する。
【背景技術】
【０００２】
近年、コンピュータを介してゲームをプレイ可能な様々なゲーム装置が開発されている。例えば、特許文献１には、バカラゲームをプレイ可能なゲーム装置が開示されている。バカラゲームは、バンカー（胴元役）とプレイヤ（客役）により１つの卓（テーブル）において行われるカードゲームの勝敗を、ユーザが予想して賭けるゲームである。【０００３】
バカラゲームをプレイするユーザは単にゲームの勝敗を予想するのみであり、その手軽さなどからバカラゲームは、世界各地のカジノで人気を博している。ディーラーは、あるルールに則してバンカー及びプレイヤのそれぞれに対してテーブル上に２枚ないし３枚のトランプカードを配り、配られた合計数が「９」に近い方が勝ちとなる。ユーザは、ベット期間中に、バンカーが勝つのか（ＢＡＮＫＥＲ)、あるいはプレイヤが勝つのか（ＰＬＡＹＥＲ）、さらには、勝負が引き分けに終わるのか（タイ（ＴＩＥ））になるのかを予想し、ベットする。ベット額は、各ユーザが任意に指定することができる。ベット後、ディール（カードの配布）期間の経過後に明らかになる勝負の結果に応じて、ユーザの予想が当たった場合には、ユーザはベット額に応じた配当を得る。その後、次のゲームが開始され、ユーザは同様にベット期間中に勝敗を予想し、ベットすることができる。
【先行技術文献】
【特許文献】
【０００４】
【特許文献１】特開平１１−２６７２６４号公報
【発明の概要】
【発明が解決しようとする課題】
【０００５】
慣習として、ユーザはゲーム結果の履歴を参考にしてベットを行う場合がある。例えば、バカラにおいてバンカーが４連勝したときは次のゲームもバンカーの勝利であるとユーザは期待しベットを行う場合がある。また、バカラにおいてバンカーとプレイヤが交互に勝利する状態が続いているときに、ユーザは今回のゲームで負けた方が次のゲームで勝利する（例えば、今回のゲームでプレイヤが負けたときは次のゲームでプレイヤが勝利する）と予想しベットを行う場合がある。このようなベットをするユーザにとって、バンカーが４連勝したとき、又はバンカーとプレイヤが交互に勝利する状態が続いているときに、ゲーム結果を予測できる状態になる。従って、このようにゲーム結果の履歴を参考にしてベットを行う場合、ユーザはゲーム結果の履歴がゲーム結果を予測できるような状態になるまで待つ必要があった。その結果、ユーザはゲームをテンポよくプレイできない場合があった。【０００６】
本発明は、上記に鑑みてなされたものであり、その課題は、ゲームをテンポよくプレイ可能な技術を提供することにある。
【課題を解決するための手段】
【０００７】
本発明の一態様におけるゲーム装置は、制御部、記憶部及び表示部を備えたゲーム装置であって、前記制御部が、前記記憶部に記憶されたプログラムを実行することにより、複数のゲームの結果の履歴を前記表示部に表示する機能と、ゲームに対するベットの前に第１の画面を前記表示部に表示する機能と、前記第１の画面の表示中にベット指示を受けたときに、前記表示部に対して、ゲームの進行のための第２の画面を表示し、ゲームの結果を示す第３の画面を表示する機能と、前記第１の画面の表示中にゲーム結果表示の指示を受けたときに、前記第３の画面を表示するまでの時間をベットを行ったときよりも短縮する機能と、前記ゲームの結果に応じて、前記表示部への前記履歴の表示を更新する機能とを実現するように構成される。【０００８】
本発明の一態様におけるゲーム方法は、制御部、記憶部及び表示部を備えた装置において実施されるゲーム方法であって、前記制御部が、前記記憶部に記憶されたプログラムを実行することにより、複数のゲームの結果の履歴を前記表示部に表示することと、ゲームに対するベットの前に第１の画面を前記表示部に表示することと、前記第１の画面の表示中にベット指示を受けたときに、前記表示部に対して、ゲームの進行のための第２の画面を表示し、ゲームの結果を示す第３の画面を表示することと、前記第１の画面の表示中にゲーム結果表示の指示を受けたときに、前記第３の画面を表示するまでの時間をベットを行ったときよりも短縮することと、前記ゲームの結果に応じて、前記表示部への前記履歴の表示を更新することとを含む。
【発明の効果】
【０００９】
本発明によれば、ゲームをテンポよくプレイ可能な技術を提供することができる。
【図面の簡単な説明】
【００１０】
【図１】一実施形態におけるゲーム装置の外観斜視図である。
【図２】一実施形態におけるゲーム装置の主なハードウェア構成を示すブロック図である。
【図３】一実施形態におけるゲーム装置でプレイ可能なゲームの流れを示す概念図である。
【図４】一実施形態におけるゲーム装置の主な機能構成を示すブロック図である。
【図５】一実施形態におけるゲーム装置による処理を説明するためのフローチャートである。
【図６】一実施形態において表示部に表示される映像の例を示す図である。
【図７】一実施形態において表示部に表示される映像の例を示す図である。
【図８】一実施形態において表示部に表示される映像の例を示す図である。
【図９】一実施形態において表示部に表示される映像の例を示す図である。
【図１０】一実施形態において表示部に表示される映像の例を示す図である。
【図１１】一実施形態において表示部に表示される映像の例を示す図である。
【図１２】一実施形態において表示部に表示される映像の例を示す図である。
【図１３】一実施形態において表示部に表示される映像の例を示す図である。
【発明を実施するための形態】
【００１１】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１２】
以下、本発明の一実施形態におけるゲーム装置及びゲーム方法を、図面を用いて説明する。
【００１３】
［ゲーム装置のハードウェア構成例］
図１は、一実施形態におけるゲーム装置の外観斜視図である。図１に例示するゲーム装置１００は、カジノやアミューズメント施設等に設置されるゲーム装置である。本実施形態において、ユーザは、ゲーム装置１００を使用して任意のゲームをプレイ可能である。例えば、ユーザはバカラゲームをプレイ可能である。
【００１４】
図１に示すように、ゲーム装置１００は、外観上、スピーカ１０１と、表示装置１０２と、操作入力装置１０３と、カード読取装置１０４と、紙幣投入装置１０５と、チケット払出装置１０６とを備える。スピーカ１０１は、ゲームの音声案内や効果音等を出力する音響出力手段である。表示装置１０２は、ゲームを表現あるいは演出するための画像（例えば、静止画、動画、映像等）を表示する表示手段である。操作入力装置１０３は、複数の操作ボタンを含んで構成されており、ゲーム装置に対するプレイヤからの指示を当該操作ボタンを介して入力する。なお、操作入力装置１０３は、このような構成に限定せず、タッチパネルや操作スティックなど、プレイヤが指示を入力可能な構成であれば、どのような構成であっても良い。カード読取装置１０４は、プレイヤが所有するカードから情報を読み取るカードリーダーである。紙幣投入装置１０５は、投入された紙幣やチケットを読み取る装置である。チケット払出装置１０６は、プレイヤにカードを払い出すチケット出力手段である。
【００１５】
カード読取装置１０４により読み取られるカードは、プレイヤの遊技情報が記憶された媒体である。カードには、例えば、プレイヤの遊技状況によって獲得されたポイント等を追加して記憶することができる。プレイヤは、カードに記憶された情報に応じて様々なサービスが得られるが、カードの記憶内容が、遊技結果に影響を与えるものではない。
【００１６】
また、ゲーム装置１００は、ゲーム装置１００を統括的に制御する制御装置として内部にコンピューティング装置を備える。
【００１７】
図２を参照して、ゲーム装置１００の内部に備えるコンピューティング装置２００のハードウェア構成の例について説明する。図２に示すように、コンピューティング装置２００は、主なハードウェア構成として、制御部２０１と、記憶装置２０４と、音声処理部２０５と、画像処理部２０６と、通信部２０７と、周辺装置インタフェース２０８とを含む。
【００１８】
制御部２０１は、ＣＰＵ（Central Processing Unit）２０２及びメモリ２０３を含む。コンピューティング装置２００は、例えば、ＣＰＵ２０２がメモリ２０３及び記憶装置２０４等に格納された所定のソフトウェアプログラム（例えば、ゲームソフトウェアプログラム）を実行することにより、他のハードウェア構成の処理及び動作を制御することにより、各種の機能を実現する。すなわち、コンピューティング装置２００は、制御部２０１の制御の下、所定のプログラムを実行することにより、他のハードウェアと協働してゲーム機能を実現する。なお、図２には、コンピューティング装置２００が備える主要な構成が示されているにすぎず、コンピューティング装置２００は、一般的な情報処理装置が備える他の構成も備える。
【００１９】
記憶装置２０４は、ハードディスク等により構成される。記憶装置２０４は、制御部２０１によりデータ読み出し及び書き込みが行われる。すなわち、記憶装置２０４には、コンピューティング装置２００における処理に必要なソフトウェアプログラムなどのデータが書き込まれており、さらに、当該処理の結果のデータが書き込まれる。音声処理部２０５は、制御部２０１の制御の下、各種のサウンド処理を行う。画像処理部２０６は、制御部２０１の制御の下、各種のグラフィックス処理を行なう。通信部２０７は、サーバや他のゲーム装置との通信を可能にするインタフェースである。周辺装置インタフェース２０８は、コンピューティング装置２００が操作入力装置１０３、カード読取装置１０４、紙幣投入装置１０５およびチケット払出装置１０６等の周辺機器との間の通信を可能にするインタフェースである。
【００２０】
［ゲームの概要］
本実施形態においてゲーム装置１００によりユーザがプレイ可能なゲームの概要を説明する。ゲーム装置１００により任意のゲームをプレイ可能であるが、ここでは、プレイ可能なゲームとしてバカラゲームについて説明する。なお、バカラとはバンカー（胴元役）とプレイヤ（客役）によるカードゲームの勝敗を、ユーザが予想してベットし、予想が的中した場合には、ユーザのベット額等に応じた配当を得るゲームである。
【００２１】
ゲームに参加するユーザは、ゲーム装置１００に着座し、カードゲームの勝敗を予想し、予想に応じてベット額に応じたチップを、ゲーム装置１００を介してベットすることができる。
【００２２】
図３を参照して、ゲーム装置１００において実施される仮想的なカードを使用したカードゲームの流れを説明する。図３に示すように、本カードゲームの１ゲーム（１ラウンド）の進行は、大きく、ベット期間、ディール期間、及び配当期間の３つの期間に分かれている。配当期間が終了すると、ゲームが終了し、次のゲーム（すなわち、次のゲームのベット期間）が開始される。以下にそれぞれの期間について説明する。
【００２３】
・ベット期間
「ベット期間」は、ユーザが勝敗を予想してベットするための期間であり、カードの配布前に与えられ期間である。当該カードゲームに参加するユーザは、ゲーム装置１００に着座し、ベット期間中に、カードゲームの勝敗を予想する。勝敗予想に応じて、ユーザはゲーム装置１００の操作入力装置１０３を操作して、ベット額に応じたチップをベットする。
【００２４】
・ディール期間
「ディール期間」は、ベット期間の経過後、ユーザのベットを禁止し、テーブルにおいてカードを配布してカードゲームを進行させる期間である。カードゲームでは、一般的に６セットか８セット（１セットあたり５２枚）のカードの束から、バンカー側及びプレイヤ側のそれぞれに２枚または３枚のカードが配られる。各サイドに２枚配るか３枚配るかは、制御部２０１が、毎回のゲーム（ラウンド）において、配布済みのカードのスコアに応じて、ルールに従って決定する。本実施形態において、各サイドに２枚目及び３枚目として配布されたカードに対する「絞り動作」がディール期間に実行される。
【００２５】
ディール期間中の進行は制御部２０１の制御に応じて、トランプカードのカードの配布から、絞り動作まで、自動的に進行される。
【００２６】
また、制御部２０１は、ディール期間においてテーブルのいずれかでプレイされるカードゲームの進行を制御し、テーブルにカードを配布する画像と、当該カードに対する絞り動作（すなわち、カードを裏面から表面へ端からめくるような動作）の画像（映像）を生成して表示装置１０２に表示（再生）するように制御する。
【００２７】
その際、制御部２０１は、所定の条件に従って、「絞り動作」を実行するか否か、どのような種類の「絞り動作」とするか、どのようなタイミング（分岐タイミング）で「絞り動作」を中断するかを適宜判断する。制御部２０１は、当該判断の結果に基づいて、対応するカードの画像を生成する。ここで、分岐タイミングとは、「絞り動作」の実行中において、それ以上「絞り動作」を継続する利益無しと判断されるタイミングである。例えば、「絞り動作」中に、そのカードに現れる絵柄の有無やスート（カードの表面に表示されているマーク）の位置などに応じた所定のタイミングで、そのカードのスコアの値又はスコアの範囲を予測できる。このように予測可能になったスコアの値又はスコアの範囲と、目標スコアとの間の関係が明らかになったタイミングが「絞り動作」を継続する利益無しと判断されるタイミングとなりうる。すなわち、分岐タイミングとは、「絞り動作」の進行中に現れる絵柄又はスートに基づいて予測されるスコアに応じて決定されるタイミングである。
【００２８】
・配当期間
「配当期間」は、ディール期間の終了後に開始する期間であり、ユーザのベット状況とバンカー側およびプレイヤ側のスコアに応じた配当で払い出しをする期間である。ディール期間において、各カードゲームの勝敗が決せられると、配当が決定される。
【００２９】
ベット開始からベット終了までの期間であるベット期間に、ユーザはベットを行う。ユーザは、操作入力装置１０３を介して所定の操作を行うことにより、ベットを行うことが可能となる。ベット期間が終了すると、ディール期間に、プレイヤとバンカーにカードが配られ（いわゆる「ディール」）、ゲームが進行してゆく。そして、カードゲームの勝敗が決せられると、配当が決定され、払い出しが行われてそのゲームが終了する。
【００３０】
［ゲーム装置の機能構成例］
次に、本実施形態のゲーム装置１００の機能構成の例を説明する。
【００３１】
図４は、本実施形態のゲーム装置１００の機能構成を示すブロック図である。図４に示すように、ゲーム装置１００は、機能構成として主に、データベース４１０、進行制御部４２０、及び表示制御部４３０を備える。これらの機能構成は、例えば、制御部２０１が、記憶装置２０４等の記憶部に記憶されたゲームソフトウェアプログラムをメモリ２０３に展開して実行すること等により、ゲーム装置１００が有するプログラム（ソフトウェア）とハードウェアとの協働により実現される。なお、ゲーム装置１００は、図４に示す機能以外に、一般的なゲーム装置が有する他の機能を有するが、便宜上、ここでは説明を省略する。
【００３２】
データベース４１０は、ゲーム装置１００において実行される処理に必要な情報、及び当該処理により生成された情報など、各種情報を記憶する。データベース４１０は、例えば、ゲームの進行を制御するための制御ソフトウェアプログラム、ゲームを表現あるいは演出するための画像（例えば、静止画、及び動画等）データ及びサウンドデータ、並びに進行中のゲームの状態に関するデータ（パラメータを含む）等を記憶する。
【００３３】
進行制御部４２０は、ユーザによるゲーム装置１００に対する操作、及びデータベース４１０に記憶された制御ソフトウェアプログラムに従って、ゲームの進行を制御する処理を実行する。特に、進行制御部４２０は、ルーレットゲームなどのゲームの進行を制御する。
【００３４】
表示制御部４３０は、ゲームを表現あるいは演出するための静止画及び動画等の画像の表示装置１０２への表示を制御する。当該表示の制御は、進行制御部４２０及びユーザからの指示等に応じて実施される。
【００３５】
［処理フロー］
次に、図５を参照して、ゲーム装置１００においてゲームの進行のために実行される処理フローの例を説明する。ここでは、バカラゲームの進行のために実行される処理を例に説明する。この処理は、制御部２０１が、記憶装置２０４等に記憶されたソフトウェアプログラムをメモリ２０３に展開して実行すること等により、ゲーム装置１００が有するプログラム（ソフトウェア）とハードウェアとの協働により実行される。また、この処理は、ゲーム装置１００がユーザからバカラゲームの開示の指示を受けたときに開始する。
【００３６】
まず、ステップＳ１１において、進行制御部４２０は、バカラゲームの開始のための初期処理を実行する。この初期処理の実行によりベット期間が開始する。初期処理には、開始するゲームに使用される仮想的なカード（以下、単に「カード」ともいう。）のセット数（５２枚のカードの束）の設定、その他各種パラメータの設定、及びゲーム開始画面の表示装置１０２への表示などが含まれる。カードのセットの設定の処理として、進行制御部４２０は、データベース４１０に記憶されたデータに基づいて、これから開始するゲームに使用するカードのセット数を選択する。当該カードのセットにおいて、カードがランダムな順序で仮想的に重ねられている。
【００３７】
図６は、ステップＳ１１の処理の実行により表示装置１０２に表示される画面の例を示している。この画面は、進行制御部４２０がデータベース４１０に記憶されたデータに基づいて画像を生成し、当該画像を表示装置１０２に表示させるように表示制御部４３０を制御することにより表示される。
【００３８】
図６に示す画面には、仮想的なディーラーの画像４１が表示されている。また、この画面には、エリアＡｔ、エリアＡｍ、エリアＢ１及びエリア４２が表示されている。エリアＡｔは、過去のゲームの結果の履歴を表示するエリアである。エリアＡｍは、ベット操作を行うためのタッチパネルで構成されたエリアである。エリアＢ１は、ディール期間にプレイヤ及びバンカーのそれぞれに配布された仮想的なカードが表示されるエリアである。エリア４２は、これから始まるゲームの結果を表示させる操作を行うためのエリアであり、タッチパネルにより構成されている。
【００３９】
次に、ステップＳ１２において、進行制御部４２０は、ユーザによりベット操作が行われずに、エリア４２がタッチされることによりゲーム結果（ゲームのプレイ結果）の表示が指示されたか否かを判断する。ステップＳ１２において指示されたと判断されたとき（Ｙｅｓ）、処理はステップＳ１９へ進み、他の場合（Ｎｏ）、処理はステップＳ１３へ進む。
【００４０】
ステップＳ１３において、進行制御部４２０は、ユーザによるベット操作に応じて、ベット処理を実行する。例えば、進行制御部４２０は、ユーザのベット操作に応じて、プレイヤ及び／又はバンカーにベットされた額（ベット量）の情報をデータベース４１０に記憶し、ベット操作に応じた画像を表示装置１０２に表示させるように表示制御部４３０を制御する。
【００４１】
ステップＳ１４において、進行制御部４２０は、ベット期間の終了後、ディール処理を実行する。ディール処理について以下に詳しく説明する。まず、進行制御部４２０は、ステップＳ１１で設定されたカードのセットである重ねられたカードの束の上から、バンカー側及びプレイヤ側のそれぞれに２枚を配布する処理を制御する。また、進行制御部４２０は、カードが配布される映像が表示装置１０２に表示させるように表示制御部４３０を制御する。
【００４２】
図７は、カードの配布前に表示装置１０２に表示された画面の例を示している。図８は、バンカー側及びプレイヤ側のそれぞれに２枚のカードが配布された後に表示装置１０２に表示された画面の例を示している。図８の例では、配布の時点ではカードは裏面が上を向いている（表面が伏せられている）。
【００４３】
その後、表示制御部４３０は、プレイヤ側及びバンカー側にそれぞれ配布された２枚のカードの内、それぞれ１枚を表面に裏返し、さらに、プレイヤ側及びバンカー側の残りのカードのそれぞれに対して、絞り動作（すなわち、カードを裏面から表面へ端からめくるような動作）を行う画像（映像）を表示装置１０２に表示するように制御する。
【００４４】
図９は、プレイヤ側及びバンカー側にそれぞれ配布された２枚のカードの内、それぞれ１枚が表面に裏返された後、プレイヤ側の１枚のカードが絞られていく画面の例を示している。図１０は、図９に示した画面の後、バンカー側の１枚のカードが絞られていく画面の例を示している。
【００４５】
図１１は、プレイヤ側及びバンカー側にそれぞれ配布されたカードが裏返されたときの画面の例を示している。この例において、プレイヤのカードのスコアは「８」であり、バンカーのカードのスコアは「１」である。従って、このゲーム結果はプレイヤの勝ちである。
【００４６】
次いで、ステップＳ１５において、進行制御部４２０は、ゲーム結果を表示装置１０２に表示するように表示制御部４３０を制御する。また、進行制御部４２０は、ゲーム結果の情報をデータベース４１０に記憶する。
【００４７】
図１２は、表示装置１０２に表示されたゲーム結果を示す画面の例を示している。この画面の例において、と、プレイヤの勝ち（「ＰＬＡＹＥＲ  ＷＩＮ」）という表示と共に、プレイヤのカードのスコアは「８」であり、バンカーのカードのスコアは「１」であるというゲーム結果が示されている。
【００４８】
次いで、ステップＳ１６において、進行制御部４２０は、今回のゲームの結果を反映するようにゲームのプレイ結果の履歴を更新し、表示装置１０２に複数のゲームのプレイ結果の履歴を表示するように表示制御部４３０を制御する。
【００４９】
図１３は、表示装置１０２に表示されたゲーム結果の履歴の例を示している。ゲーム結果の履歴は、ベット期間、ディール期間及び配当期間の全てにおいて表示装置１０２に表示されている。図１３に示す例において、黒丸はプレイヤの勝利、白丸はバンカーの勝利を示している。横方向で右にある丸ほど最近のゲームの結果を示している。また、縦方向で下にある丸ほど最近のゲーム結果を示している。
【００５０】
次いで、ステップＳ１７において、進行制御部４２０は、ゲーム結果と、ユーザのベット状況に応じた配当で払い出しの処理を実行する。具体的には、進行制御部４２０は、払い出しの結果を算出し、当該算出結果を反映するようにデータベース４１０に記憶された情報を更新する。払い出しの処理が終了すると、このゲームは終了する。
【００５１】
その後、ステップＳ１８において、進行制御部４２０は、ユーザ操作に応じて、次のゲームを開始するか否かを判断する。開始すると判断された場合（Ｙｅｓ）、処理はステップＳ１１へ進み、他の場合（Ｎｏ）、処理を終了する。
【００５２】
また、ステップＳ１２においてユーザによりベット操作が行われずに、エリア４２がタッチされることによりゲーム結果の表示が指示されたと判断された場合、ステップＳ１９において、進行制御部４２０は、ゲーム結果を表示装置１０２に表示するように表示制御部４３０を制御する。すなわち、進行制御部４２０は、ステップＳ１１で設定されたカードのセットに基づいてゲーム結果を算出し、当該ゲーム結果を表示装置１０２に表示するように表示制御部４３０を制御する。ゲーム結果の表示例は、図１２を参照して説明したとおりである。その後処理はステップＳ１８へ進む。
【００５３】
以上のように本実施形態によれば、進行制御部４２０（又は表示制御部４３０）は、図６のエリアＡｔ又は図１３に示すような複数のゲームの結果の履歴を表示装置１０２に表示するように制御する。進行制御部４２０は、ベット期間中におけるベットの前に、図６に示すようなベットの指示（操作）の受け付け、又はゲームの結果の表示の指示の受け付けのための画面（第１の画面）を表示装置１０２に表示するように制御する。進行制御部４２０は、第１の画面の表示中にベットの指示を受けた場合、表示装置１０２に対して、図７から図１１に示すようなゲームの進行のための画面（第２の画面）を表示し、その後、図１２に示すようなゲームの結果を示す画面（第３の画面）を表示するように制御する。また、進行制御部４２０は、第１の画面の表示中にゲームの結果の表示の指示を受けた場合、ゲームの結果を示す画面（第３の画面）を表示するように制御する。
【００５４】
すなわち、本実施形態では、進行制御部４２０は、第１の画面の表示中にゲームの結果の表示の指示を受けた場合、図７から図１１に示すようなゲームの進行のための画面（第２の画面）を表示を表示せずに、ゲームの結果を示す画面（第３の画面）を表示するように制御する（換言すれば、進行制御部４２０は、第１の画面の表示中にゲーム結果表示の指示を受けたときに、第３の画面を表示するまでの時間をベットを行ったときよりも短縮する。）。
【００５５】
ここで、慣習として、ユーザはゲームの結果の履歴を参考にしてベットを行う場合がある。例えば、バカラゲームにおいてバンカーが４連勝したときは次のゲームもバンカーの勝利であるとユーザは予想しベットを行う場合がある。また、バカラにおいてバンカーとプレイヤが交互に勝利する状態が続いているときに、ユーザは今回のゲームで負けた方が次のゲームで勝利する（例えば、今回のゲームでプレイヤが負けたときは次のゲームでプレイヤが勝利する）と予想しベットを行う場合がある。すなわち、このようなベットをするユーザにとって、バンカーが４連勝したとき、又はバンカーとプレイヤが交互に勝利する状態が続いているときに、ゲーム結果を予測できる状態になる。従って、このようにゲーム結果の履歴を参考にしてベットを行う場合、ユーザはゲーム結果の履歴がゲーム結果を予測できるような状態になるまで待つ必要があった。
【００５６】
これに対し、本実施形態によれば、ユーザは、ゲーム結果の履歴が次のゲームの結果を予測できるような状態ではない場合、ベット期間中にこれから開始するゲームの結果が表示されるようにゲーム装置１００に対して操作（指示）することにより、図７から図１１に示すようなゲームの進行のための画面（第２の画面）が表示（再生）される処理をスキップしてゲームの結果を確認することができる。その結果、ユーザは、ゲーム結果の履歴が次のゲームの結果を予測できるような状態なるまでの待ち時間を短縮することができ、ゲームをテンポよくプレイすることができる。
【００５７】
本発明は、上記の実施形態に限定されるものではなく、本発明の要旨を逸脱しない範囲内において、他の様々な変更を加えて実施することができる。すなわち、上記の実施形態はあらゆる点で単なる例示にすぎず、限定的に解釈されるものではなく、様々な変形例を採用することができる。
【００５８】
例えば、進行制御部４２０は、表示装置１０２に表示された複数のゲームの結果の履歴が所定の条件を満たしたときに、強調表示をするように表示制御部４３０を制御することができる。例えば、バンカーが４連勝したときに、進行制御部４２０は、履歴を強調表示するように制御することができる。ユーザがゲーム結果の履歴からゲーム結果を予測しやすいような条件に当該所定の条件を設定することにより、ユーザがベットするチャンスを逃すことが低減される。
【００５９】
また、上記の実施形態において、進行制御部４２０は、ゲームの結果の表示の指示を受けたときに図７から図１１に示すようなゲームの進行のための画面（第２の画面）が再生される処理をスキップすることとした。変形例として、第２の画面が再生される処理をスキップせず、再生速度を通常より早くする（例えば、通常の５倍速にする）ことにより、ベットを行った場合と比較して結果が表示されるまでの期間を短縮してもよい。
【００６０】
また、上記の実施形態において、ゲーム装置１００でバカラをプレイする例について説明した。バカラは、所定のルールに則してバンカー及びプレイヤのそれぞれに対して２枚ないし３枚のトランプカードを配られ、ゲーム結果が決まるため、ゲーム進行中のユーザによる操作ゲーム結果に影響する余地はないゲームである。上記の実施形態の変形例として、バカラ以外の任意のゲームを適用することができ、例えば、ブラックジャックなど、進行中におけるユーザの操作に応じてゲーム結果が変化する（すなわち、ユーザの操作に応じた演算を行いゲーム結果を出力する）ゲームを適用することができる。
【００６１】
以上説明した本発明の各実施形態を実現するためのプログラムは、記録媒体に記憶させてもよい。この記録媒体を用いれば、コンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００６２】
１００  ゲーム装置、１０１  スピーカ、１０２  表示装置、１０３  操作入力装置、１０４  カード読取装置、１０５  紙幣投入装置、１０６  チケット払出装置、２０１  制御部、２０２  ＣＰＵ、２０３  メモリ、２０４  記憶装置、２０５  音声処理部、２０６  画像処理部、２０７  通信部、２０８  周辺装置インタフェース
【図１】
2018134919.tif 000003
【図２】
2018134919.tif 000004
【図３】
2018134919.tif 000005
【図４】
2018134919.tif 000006
【図５】
2018134919.tif 000007
【図６】
2018134919.tif 000008
【図７】
2018134919.tif 000009
【図８】
2018134919.tif 000010
【図９】
2018134919.tif 000011
【図１０】
2018134919.tif 000012
【図１１】
2018134919.tif 000013
【図１２】
2018134919.tif 000014
【図１３】
2018134919.tif 000015
【国際調査報告】
2018134919.tif 000016
2018134919.tif 000017
2018134919.tif 000018
2018134919.tif 000019